(57)【要約】【課題】本発明は、ビデオ内容探索システム及びその方法を提供する。【解決手段】本発明のビデオ内容探索システムは、メディアプレーヤーをインストールした電子装置の中で実施され、ユーザーが入力したキーワードを受信したか否かを判断する受信モジュールと、ユーザーが入力したキーワードを受信した場合、ユーザーが入力したキーワードをメディアプレーヤーによって再生されるビデオの全ての字幕と比較して、マッチングする字幕を探すマッチモジュールと、ユーザーが入力したキーワードにマッチングする字幕をユーザーに出力する出力モジュールと、ユーザーが選択したマッチングする１つの字幕を受信する選択モジュールと、メディアプレーヤーによって再生されるビデオを制御して、ユーザーが選択した字幕に対応する画面内容の位置にジャンプする再生制御モジュールと、を備える。本発明は、ビデオ内容探索方法も提供する。【選択図】図５
2014102825.tif 000002
【特許請求の範囲】
【請求項１】
メディアプレーヤーをインストールした電子装置の中で実施され、
ユーザーが入力したキーワードを受信したか否かを判断する受信モジュールと、
ユーザーが入力したキーワードを受信した場合、ユーザーが入力したキーワードを前記メディアプレーヤーによって再生されるビデオの全ての字幕と比較して、マッチングする字幕を探すマッチモジュールと、
ユーザーが入力したキーワードにマッチングする字幕をユーザーに出力する出力モジュールと、
ユーザーが選択したマッチングする１つの字幕を受信する選択モジュールと、
前記メディアプレーヤーによって再生されるビデオを制御して、ユーザーが選択した字幕に対応する画面内容の位置にジャンプする再生制御モジュールと、
を備えることを特徴とするビデオ内容探索システム。
【請求項２】
前記字幕は、文字内容、開始時刻及び終了時刻を備えることを特徴とする請求項１に記載のビデオ内容探索システム。
【請求項３】
前記出力モジュールは、マッチする程度又はマッチングする字幕の開始時刻に基づいて、マッチングする字幕に対して順位づけしてからユーザーに出力することを特徴とする請求項２に記載のビデオ内容探索システム。
【請求項４】
メディアプレーヤーをインストールした電子装置の中で実施され、
ユーザーが入力したキーワードを受信したか否かを判断する受信ステップと、
ユーザーが入力したキーワードを受信した場合、ユーザーが入力したキーワードを前記メディアプレーヤーによって再生されるビデオの全ての字幕と比較して、マッチングする字幕を探すマッチステップと、
ユーザーが入力したキーワードにマッチングする字幕をユーザーに出力する出力ステップと、
ユーザーが選択したマッチングする１つの字幕を受信する選択ステップと、
前記メディアプレーヤーによって再生されるビデオを制御して、ユーザーが選択した字幕に対応する画面内容の位置にジャンプする再生制御ステップと、
を備えることを特徴とするビデオ内容探索方法。
【請求項５】
前記出力ステップは、マッチする程度又はマッチングする字幕の開始時刻に基づいて、マッチングする字幕に対して順位づけしてからユーザーに出力することを特徴とする請求項４に記載のビデオ内容探索方法。
【発明の詳細な説明】
【技術分野】
【０００１】
本発明は、ビデオ内容探索システム及びその方法に関するものである。
【背景技術】
【０００２】
メディアプレーヤーによってビデオを再生しているときに、特定のビデオ画面を探すために、早送りボタン（ｆａｓｔ  ｆｏｒｗａｒｄ  ｂｕｔｔｏｎ）又は巻き戻しボタン（ｆａｓｔ  ｂａｃｋｗａｒｄ  ｂｕｔｔｏｎ）を繰り返して押す又はビデオ再生プログレスバーを引っ張ることにより、動画が進んだり戻ったりして、ビデオ内容を探索する。
【発明の概要】
【発明が解決しようとする課題】
【０００３】
しかし、早送りボタン又は巻き戻しボタンを繰り返して押す又はビデオ再生プログレスバーを引っ張ってビデオ画面を探すことは、面倒であり、時間を浪費する。
【０００４】
本発明の目的は、前記課題を解決し、必要とするビデオ画面を速く探すことができるビデオ内容探索システム及びその方法を提供することである。
【課題を解決するための手段】
【０００５】
本発明に係るビデオ内容探索システムは、メディアプレーヤーをインストールした電子装置の中で実施され、ユーザーが入力したキーワードを受信したか否かを判断する受信モジュールと、ユーザーが入力したキーワードを受信した場合、ユーザーが入力したキーワードをメディアプレーヤーによって再生されるビデオの全ての字幕と比較して、マッチングする字幕を探すマッチモジュールと、ユーザーが入力したキーワードにマッチングする字幕をユーザーに出力する出力モジュールと、ユーザーが選択したマッチングする１つの字幕を受信する選択モジュールと、メディアプレーヤーによって再生されるビデオを制御して、ユーザーが選択した字幕に対応する画面内容の位置にジャンプする再生制御モジュールと、を備える。
【０００６】
本発明に係るビデオ内容探索方法は、メディアプレーヤーをインストールした電子装置の中で実施され、ユーザーが入力したキーワードを受信したか否かを判断する受信ステップと、ユーザーが入力したキーワードを受信した場合、ユーザーが入力したキーワードをメディアプレーヤーによって再生されるビデオの全ての字幕と比較して、マッチングする字幕を探すマッチステップと、ユーザーが入力したキーワードにマッチングする字幕をユーザーに出力する出力ステップと、ユーザーが選択したマッチングする１つの字幕を受信する選択ステップと、メディアプレーヤーによって再生されるビデオを制御して、ユーザーが選択した字幕に対応する画面内容の位置にジャンプする再生制御ステップと、を備える。
【発明の効果】
【０００７】
従来の技術に比べて、本発明のビデオ内容探索システム及びその方法は、ユーザーが入力したキーワードを受信する方式によって必要とするビデオ画面を速く探すことができる。
【図面の簡単な説明】
【０００８】
【図１】本発明の実施形態に係るビデオ内容探索システムの実施環境を示す図である。
【図２】ビデオ画面構成図である。
【図３】ビデオ画面構成図である。
【図４】本発明の実施形態に係るビデオ内容探索システムの機能ブロック図である。
【図５】本発明の実施形態に係るビデオ内容探索方法のフローチャートである。
【発明を実施するための形態】
【０００９】
以下、図面を参照して、本発明の実施形態について説明する。
【００１０】
図１は、本発明の実施形態に係るビデオ内容探索システムの実施環境を示す図である。本発明のビデオ内容探索システム１０は、メディアプレーヤー１１をインストールした電子装置１の中で実施される。電子装置１は、制御装置１２及び記憶装置１３を備える。電子装置１は、デスクトップコンピューター、ノートパソコン、タブレットパソコン、携帯情報端末（ＰＤＡ）、スマートフォンなどの端末装置であることができ、制御装置１２は、中央処理装置（ＣＰＵ）であることができ、記憶装置１３は、スマートメディアカード、ＳＤカード、フラッシュカードなどであることができる。
【００１１】
記憶装置１３には、完全なビデオを構成する複数のビデオ画面１３０が格納されている。図２及び図３に示されたように、ビデオ画面１３０は画面内容１３１及び字幕１３２を備え、字幕１３２は文字内容１３３、開始時刻１３４及び終了時刻１３５を備える。
【００１２】
図４に示されたように、ビデオ内容探索システム１０は、受信モジュール１００と、マッチモジュール１０１と、出力モジュール１０２と、選択モジュール１０３と、再生制御モジュール１０４と、を備える。本実施形態において、ビデオ内容探索システム１０が備える複数のモジュールは、記憶装置１３に格納されて制御装置１２によって実行される。本発明のモジュールは、特定機能を完成できるプログラムセグメントである。
【００１３】
ビデオ内容探索システム１０が備える複数の機能ブロックは、ユーザーが入力するキーワードに基づいて必要とするビデオ画面を探して、このビデオ画面の位置にジャンプする。以下、図５を参照して、ビデオ内容探索システム１０が備える複数のモジュールの機能を説明する。図５は、本発明の実施形態に係るビデオ内容探索方法のフローチャートである。必要によって、図５のフローチャートにおける各々のステップの順序を変換することができ、かつ、あるステップを省略することもできる。
【００１４】
ステップＳ０１：受信モジュール１００は、ユーザーが入力したキーワードを受信したか否かを判断する。ユーザーが入力したキーワードを受信した場合、ステップＳ０２を実行し、ユーザーが入力したキーワードを受信しなかった場合、ステップＳ０１を繰り返す。
【００１５】
ステップＳ０２：マッチモジュール１０１は、ユーザーが入力したキーワードをメディアプレーヤー１１によって再生されるビデオの全ての字幕１３２と比較して、マッチングする字幕１３２を探す。マッチモジュール１０１は、ユーザーが入力したキーワードを字幕１３２の文字内容１３３と比較する。例えば、図２Ｂに示されたように、ユーザーが入力したキーワードが「Ａｐｐｌｅ」であると、マッチモジュール１０１は、キーワード「Ａｐｐｌｅ」を「Ｄｏ  ｙｏｕ  ｌｉｋｅ  ａｐｐｌｅ？」、「Ｎｏ，Ｉ  ｄｏｎ’ｔ．」、「Ａｎｄ  ｙｏｕ？」、「Ｉ  ｌｏｖｅ  ａｐｐｌｅ」などの文字内容１３３と比較して、マッチングする字幕１３２を探す。その結果は、「Ｄｏ  ｙｏｕ  ｌｉｋｅ  ａｐｐｌｅ？００：０１：３０．２０〜００：０２：０１．５３」及び「Ｉ  ｌｏｖｅ  ａｐｐｌｅ．００：０４：２０．００〜００：０４：３３．１０」である。
【００１６】
ステップＳ０３：出力モジュール１０２は、ユーザーが入力したキーワードにマッチングする字幕１３２をユーザーに出力する。本実施形態において、出力モジュール１０２は、マッチする程度又はマッチングする字幕１３２の開始時刻１３４に基づいて、マッチングする字幕１３２に対して順位づけしてからユーザーに出力する。
【００１７】
ステップＳ０４：選択モジュール１０３は、ユーザーが選択したマッチングする１つの字幕１３２を受信する。
【００１８】
ステップＳ０５：再生制御モジュール１０４は、メディアプレーヤー１１によって再生されるビデオを制御して、ユーザーが選択した字幕１３２に対応する画面内容１３１の位置にジャンプする。
【符号の説明】
【００１９】
１  電子装置
１０  ビデオ内容探索システム
１１  メディアプレーヤー
１２  制御装置
１３  記憶装置
１００  受信モジュール
１０１  マッチモジュール
１０２  出力モジュール
１０３  選択モジュール
１０４  再生制御モジュール
１３０  ビデオ画面
１３１  画面内容
１３２  字幕
１３３  文字内容
１３４  開始時刻
１３５  終了時刻
【図１】
2014102825.tif 000003
【図２】
2014102825.tif 000004
【図３】
2014102825.tif 000005
【図４】
2014102825.tif 000006
【図５】
2014102825.tif 000007